(57)【特許請求の範囲】
【請求項１】
塗り絵色彩心理診断システムであって、
塗り絵者により色塗りされた第１塗り絵の画像を読み取る塗り絵読取手段と、
前記第１塗り絵の画像から色塗りされた色の色彩情報を取得する画像解析手段と、
前記塗り絵者の個人情報を取得する個人情報取得手段と、
予め規定された色分類、該色分類毎に対応付けられた心理情報、個人情報の値であるキーワードと対応付けられた心理情報、予め規定されたネガティブワード、及び、性別及び趣味の情報と関連付けられた複数種類の第１塗り絵の画像及び第２塗り絵の画像を記憶した記憶手段と、
前記画像解析手段により取得された色彩情報を前記色分類に基づいて分類し、分類された色彩情報が多い所定上位の色分類を特定し、該色分類に対応付けられた第１の心理情報を、前記記憶手段から取得し、
前記個人情報取得手段により取得された前記塗り絵者の個人情報の値に一致する前記キーワードと対応付けられた第２の心理情報を、前記記憶手段から取得し、
前記第１の心理情報のうち、前記第２の心理情報と一致した心理情報に基づいて、前記塗り絵者の色彩心理を判定する色彩心理判定手段と、
前記記憶手段に記憶された第１塗り絵の画像及び第２塗り絵の画像の中から、前記個人情報取得手段により取得された前記塗り絵者の個人情報に含まれる性別及び趣味の情報と関連付けられた塗り絵の画像を選択する塗り絵選択手段と、
前記色彩心理判定手段により判定された色彩心理と、前記塗り絵選択手段により選択された塗り絵の画像を出力する出力手段とを有し、
第１塗り絵に描かれた図柄は、意匠物品の図柄であり、
第２塗り絵に描かれた図柄は、風景画の図柄であり、
前記塗り絵選択手段は、前記色彩心理判定手段により判定された色彩心理が前記ネガティブワードと一致する場合には、前記記憶手段に記憶された第２塗り絵の画像の中から、塗り絵の画像を選択すること、
を特徴とする塗り絵色彩心理診断システム。
【請求項２】
前記塗り絵選択手段は、前記色彩心理判定手段により判定された色彩心理が前記ネガティブワードと一致しない場合には、前記記憶手段に記憶された第１塗り絵及び第２塗り絵の中から、塗り絵の画像を選択すること、
を特徴とする請求項１記載の塗り絵色彩心理診断システム。
【請求項３】
前記個人情報は、介護支援に関する個人情報を含むこと、
を特徴とする請求項１又は２に記載の塗り絵色彩心理診断システム。
【請求項４】
前記風景画は、少なくとも空、海又は山の何れか一の風景を含む風景画であること、
を特徴とする請求項１ないし３の何れか一項に記載の塗り絵色彩心理診断システム。
【請求項５】
塗り絵色彩心理診断システムにおける塗り絵色彩心理診断方法であって、
塗り絵色彩心理診断システムが、
塗り絵者により色塗りされた第１塗り絵の画像を読み取る塗り絵読取手順と、
前記第１塗り絵の画像から色塗りされた色の色彩情報を取得する画像解析手順と、
前記塗り絵者の個人情報を取得する個人情報取得手順と、
予め規定された色分類、該色分類毎に対応付けられた心理情報、個人情報の値であるキーワードと対応付けられた心理情報、予め規定されたネガティブワード、及び、性別及び趣味の情報と関連付けられた複数種類の第１塗り絵の画像及び第２塗り絵の画像を記憶手段に記憶する記憶手順と、
前記画像解析手順により取得された色彩情報を前記色分類に基づいて分類し、分類された色彩情報が多い所定上位の色分類を特定し、該色分類に対応付けられた第１の心理情報を、前記記憶手段から取得し、
前記個人情報取得手順により取得された前記塗り絵者の個人情報の値に一致する前記キーワードと対応付けられた第２の心理情報を、前記記憶手段から取得し、
前記第１の心理情報のうち、前記第２の心理情報と一致した心理情報に基づいて、前記塗り絵者の色彩心理を判定する色彩心理判定手順と、
前記記憶手段に記憶された第１塗り絵の画像及び第２塗り絵の画像の中から、前記個人情報取得手順により取得された前記塗り絵者の個人情報に含まれる性別及び趣味の情報と関連付けられた塗り絵の画像を選択する塗り絵選択手順と、
前記色彩心理判定手順により判定された色彩心理と、前記塗り絵選択手順により選択された塗り絵の画像を出力する出力手順とを有し、
第１塗り絵に描かれた図柄は、意匠物品の図柄であり、
第２塗り絵に描かれた図柄は、風景画の図柄であり、
前記塗り絵選択手順は、前記色彩心理判定手順により判定された色彩心理が前記ネガティブワードと一致する場合には、前記記憶手段に記憶された第２塗り絵の画像の中から、塗り絵の画像を選択すること、
を特徴とする塗り絵色彩心理診断方法。
【請求項６】
コンピュータに、
塗り絵者により色塗りされた第１塗り絵の画像を読み取る塗り絵読取手段と、
前記第１塗り絵の画像から色塗りされた色の色彩情報を取得する画像解析手段と、
前記塗り絵者の個人情報を取得する個人情報取得手段と、
予め規定された色分類、該色分類毎に対応付けられた心理情報、個人情報の値であるキーワードと対応付けられた心理情報、予め規定されたネガティブワード、及び、性別及び趣味の情報と関連付けられた複数種類の第１塗り絵の画像及び第２塗り絵の画像を記憶した記憶手段と、
前記画像解析手段により取得された色彩情報を前記色分類に基づいて分類し、分類された色彩情報が多い所定上位の色分類を特定し、該色分類に対応付けられた第１の心理情報を、前記記憶手段から取得し、
前記個人情報取得手段により取得された前記塗り絵者の個人情報の値に一致する前記キーワードと対応付けられた第２の心理情報を、前記記憶手段から取得し、
前記第１の心理情報のうち、前記第２の心理情報と一致した心理情報に基づいて、前記塗り絵者の色彩心理を判定する色彩心理判定手段と、
前記記憶手段に記憶された第１塗り絵の画像及び第２塗り絵の画像の中から、前記個人情報取得手段により取得された前記塗り絵者の個人情報に含まれる性別及び趣味の情報と関連付けられた塗り絵の画像を選択する塗り絵選択手段と、
前記色彩心理判定手段により判定された色彩心理と、前記塗り絵選択手段により選択された塗り絵の画像を出力する出力手段として機能させ、
第１塗り絵に描かれた図柄は、意匠物品の図柄であり、
第２塗り絵に描かれた図柄は、風景画の図柄であり、
前記塗り絵選択手段は、前記色彩心理判定手段により判定された色彩心理が前記ネガティブワードと一致する場合には、前記記憶手段に記憶された第２塗り絵の画像の中から、塗り絵の画像を選択すること、
を特徴とする塗り絵色彩心理診断プログラム。
【発明の詳細な説明】
【技術分野】
【０００１】
本発明は、塗り絵色彩心理診断システム、塗り絵色彩心理診断方法及び塗り絵色彩心理診断プログラムに関する。
【背景技術】
【０００２】
近年、いわゆる大人のための「塗り絵」が注目されている。塗り絵は、色やバランスを考えながら手先を動かすため、健康促進やリハビリに適している上、様々な色に触れることで、花と同じような癒しのリラクゼーション効果も期待される。即ち、レクレーションやリハビリの一環として、塗り絵を取り入れている高齢者施設も多い。
【０００３】
また、塗り絵における塗り絵色は、塗り絵者の心理模様を表現する場合がある。例えば、赤色や黒色は、イライラ・不安・暴力的などといった感情を示唆することが知られており、このような色彩心理の観点は、カウンセリングの場でも活用されている。
【０００４】
これに関する技術として、例えば、特許文献１には、絵画療法の模様選択及び配列、色塗り分析方法、絵画療法の模様分析による心理症状の診断方法が記載されている。
【先行技術文献】
【特許文献】
【０００５】
【特許文献１】特開２００９−１７８５３８号公報
【発明の概要】
【発明が解決しようとする課題】
【０００６】
しかしながら、特許文献１記載の発明は、塗り絵としてマンダラ（Mandala）の模様色塗りや一般的な模様色塗り絵を用いるものである。
【０００７】
マンダラなどの模様色塗りの場合、何ら意味を持たない幾何学模様に着色するものであるため、塗り絵者（高齢者等）が興味を持って取り組める塗り絵素材として適さない。また、高齢者施設等において、塗り絵は、日常的なレクレーションやリハビリの一環として実施されるため、毎回どれも同じような模様色塗り絵を繰り返し用いることはできないという問題がある。
さらに、特許文献１記載の模様色塗り絵の場合、塗り絵作業を通じて、色彩が与える癒しのリラクゼーション効果を期待することも難しい。
【０００８】
本発明は上記の点に鑑み提案されたものであり、その目的とするところは、塗り絵を通じて、塗り絵者に対する適切な色彩心理を診断するとともに、診断結果を心理ケアに役立てる塗り絵色彩心理診断システム等を提供することにある。
【課題を解決するための手段】
【０００９】
上記の課題を解決するため、塗り絵色彩心理診断システムであって、塗り絵者により色塗りされた第１塗り絵の画像を読み取る塗り絵読取手段と、前記第１塗り絵の画像から色塗りされた色の色彩情報を取得する画像解析手段と、前記塗り絵者の個人情報を取得する個人情報取得手段と、予め規定された色分類、該色分類毎に対応付けられた心理情報、個人情報の値であるキーワードと対応付けられた心理情報、予め規定されたネガティブワード、及び、性別及び趣味の情報と関連付けられた複数種類の第１塗り絵の画像及び第２塗り絵の画像を記憶した記憶手段と、前記画像解析手段により取得された色彩情報を前記色分類に基づいて分類し、分類された色彩情報が多い所定上位の色分類を特定し、該色分類に対応付けられた第１の心理情報を、前記記憶手段から取得し、前記個人情報取得手段により取得された前記塗り絵者の個人情報の値に一致する前記キーワードと対応付けられた第２の心理情報を、前記記憶手段から取得し、前記第１の心理情報のうち、前記第２の心理情報と一致した心理情報に基づいて、前記塗り絵者の色彩心理を判定する色彩心理判定手段と、前記記憶手段に記憶された第１塗り絵の画像及び第２塗り絵の画像の中から、前記個人情報取得手段により取得された前記塗り絵者の個人情報に含まれる性別及び趣味の情報と関連付けられた塗り絵の画像を選択する塗り絵選択手段と、前記色彩心理判定手段により判定された色彩心理と、前記塗り絵選択手段により選択された塗り絵の画像を出力する出力手段とを有し、第１塗り絵に描かれた図柄は、意匠物品の図柄であり、第２塗り絵に描かれた図柄は、風景画の図柄であり、前記塗り絵選択手段は、前記色彩心理判定手段により判定された色彩心理が前記ネガティブワードと一致する場合には、前記記憶手段に記憶された第２塗り絵の画像の中から、塗り絵の画像を選択する。
【発明の効果】
【００１０】
本発明の実施の形態によれば、塗り絵を通じて、塗り絵者に対する適切な色彩心理を診断するとともに、診断結果を心理ケアに役立てることができる。
【図面の簡単な説明】
【００１１】
【図１】本実施形態に係る塗り絵Ｂの図柄の一例を示す図である。
【図２】本実施形態に係る塗り絵Ａの図柄の一例を示す図である。
【図３】本実施形態に係る塗り絵色彩心理診断システムの構成例を示す図である。
【図４】本実施形態に係る診断サーバのハードウェア構成例を示す図である。
【図５】本実施形態に係る塗り絵色彩心理診断システムの機能構成例を示す図である。
【図６】本実施形態に係る情報処理の全体を説明するフローチャートである。
【図７】本実施形態に係る塗り絵読取処理を説明する図である。
【図８】本実施形態に係る端末の診断開始画面の一例を示す図である。
【図９】本実施形態に係る塗り絵画像の画素分割の一例を示す図である。
【図１０】本実施形態に係る個人情報の一例を示す図である。
【図１１】本実施形態に係る塗り絵色分類表の一例を示す図である。
【図１２】本実施形態に係る赤系統の色彩心理対応表の一例を示す図である。
【図１３】本実施形態に係る無彩色系統の色彩心理対応表の一例を示す図である。
【図１４】本実施形態に係る個人情報の色彩心理対応表の一例を示す図である。
【図１５】本実施形態に係る絞込み処理の一例を示す図である。
【図１６】本実施形態に係る塗り絵選択処理を説明するフローチャートである。
【図１７】本実施形態に係る塗り絵情報の一例を示す図である。
【図１８】本実施形態に係る端末の診断結果表示画面の一例を示す図である。
【図１９】本実施形態に係る端末の推奨塗り絵表示画面の一例を示す図である。
【発明を実施するための形態】
【００１２】
本発明の実施の形態について、図面を参照しつつ詳細に説明する。本実施形態においては、高齢者施設等におけるレクレーションやリハビリの一環として、塗り絵の実施事例を用いて説明する。また、本発明に係る塗り絵色彩心理診断システムを、高齢者施設等で適用した事例を用いて説明する。
＜塗り絵図柄＞
【００１３】
まず、本実施形態に係る塗り絵について詳しく説明する。本実施形態に係る塗り絵図柄は、マンダラの模様色塗りや一般的な模様色塗り絵のような幾何学的模様ではなく、塗り絵者（高齢者等）が興味を持って取り組めるよう日常生活の中で誰もが知っている素材を図柄化したものが用いられる。また、日常的なレクレーションやリハビリの一環として実施されるため、毎回異なる図柄の塗り絵を楽しめるように複数種類の塗り絵図柄が用意される。
【００１４】
さらに、本実施形態に係る塗り絵は、色塗りの際に使用される色に塗り絵者の固定概念が影響しない「塗り絵Ａ」と、色塗りの際に使用される色に塗り絵者の固定概念が影響する「塗り絵Ｂ」というように、その図柄特性によって２つの種類・タイプに分類する。以下、まず先に塗り絵Ｂについて説明する。
【００１５】
図１は、本実施形態に係る塗り絵Ｂの図柄の一例を示す図である。図１に示される塗り絵においては、（ｂ１）海、（ｂ２）山、（ｂ３）花畑といった風景画が塗り絵図柄として描かれている。
【００１６】
ここで、図１に示されるような風景画の塗り絵の場合、大抵の人は空や海は青に塗ってしまうし、山並であれば緑色に塗ってしまうし、さくらであれば桃色（ピンク色）に塗ってしまうことが多い。例えば、赤色や黒色はイライラ・不安・暴力的などといった感情を示唆することが知られているが、塗り絵者がこのような感情を持っている場合でも、空や海の図柄には青（すがすがしい等の感情を示唆）を塗ってしまう可能性が大きい。
【００１７】
即ち、概念的に決まった基本色が存在する図柄を塗り絵図柄として採用すると、殆どの人が自身の固定概念に影響されていつも同じ色を選択して塗る可能性が高く、塗り絵者の心理模様が色として表現されにくいため、色彩心理を診断するための塗り絵素材として適さない。
【００１８】
このような概念的に決まった基本色が存在するタイプの図柄は、自然物、自然材、自然生物など自然由来の素材に多く見られる。具体的に、木、葉、空、海、川、山、雪、星、生き物などが挙げられる。
【００１９】
一方、自然由来の色（例えば、緑や青）は、癒しやリラックス効果、リラクゼーション効果をもたらしたり、自律神経を鎮め整える色が多いという特性がある。また、日本人は季節の移ろいに敏感であるため、四季折々の自然由来の図柄を用意し、外出がままならない高齢者であっても塗り絵から四季を感じることができる。このように、例えば、風景画のような、自然由来の素材図柄を用いた塗り絵図柄Ｂは、塗り絵者にリラクゼーション効果をもたらす、健康促進用塗り絵ともいえる。
【００２０】
図２は、本実施形態に係る塗り絵Ａの図柄の一例を示す図である。図２に示される塗り絵においては、（ａ１）ネクタイ、（ａ２）帽子、（ａ３）カバンが、塗り絵図柄として描かれている。
【００２１】
図２に示される塗り絵のように、概念的に決まった基本色が存在しない図柄を塗り絵図柄として採用すると、殆どの人がその時々の心理状態に応じて様々な色を選択して色を塗る可能性が高く、塗り絵者の心理模様が色として表現されやすいため、色彩心理を診断するための塗り絵素材として適している。
【００２２】
このような概念的に決まった基本色が存在しないタイプの図柄は、塗り絵図柄Ｂとは逆に、現実社会において多様な色が存在する物品の図柄である。このような図柄に対して人は様々な色があることを知っているため、硬直的な色概念を持っていない。このようなタイプの図柄は、典型的には例えば、ネクタイ、帽子、カバン、コップ、車、ハンカチ、テーブルクロスなど、意匠物品に多く見られる。
【００２３】
即ち、現実社会において意匠物品は、購買者の嗜好に応じて多種多様な色付けやデザインがなされる。このため、意匠物品を塗り絵図柄として採用した場合、人がイメージする色の固定概念が出ないため、塗り絵者の心理模様が表現されやすく、色彩心理をより的確に診断するための塗り絵素材として適している。
以下、意匠物品を図柄として用いた塗り絵を塗り絵Ａ、風景画を図柄として用いた塗り絵を塗り絵Ｂと呼ぶ。
＜システム構成＞
【００２４】
図３は、本実施形態に係る塗り絵色彩心理診断システムの構成例を示す図である。図３の塗り絵色彩心理診断システム１００は、診断サーバ１、端末２、スキャナ装置３、電子カルテサーバ４、ネットワーク５、及び塗り絵Ａを含む。
【００２５】
診断サーバ１は、端末２からの要求に応じて、塗り絵者に対する色彩心理診断を実行する情報処理装置である。また、診断サーバ１は、色彩心理診断に用いられる各種情報が格納されたＤＢ（Database）１ａを有する。
【００２６】
端末２は、高齢者施設等の介護スタッフが利用するクライアント端末である。例えば、ＰＣや、スマートフォン又はタブレット端末といった携帯型端末でもよい。介護スタッフは塗り絵者に対する色彩心理診断を行う際、端末２を操作する。なお、診断サーバ１が端末２を兼ねてもよく、この場合、介護スタッフは診断サーバ１を操作する。
【００２７】
スキャナ装置３は、紙媒体の塗り絵Ａをスキャンし、塗り絵画像データを読み取るための画像読み取り装置である。塗り絵画像データは、診断サーバ１へ送信される。なお、スキャナ装置３は、端末２に接続されていてもよいし、診断サーバ１と接続されていてもよいし、またネットワーク５と直接接続されていてもよい。診断サーバ１以外と接続されている場合、塗り絵画像データは、ネットワーク５を介して診断サーバ１へ送信される。
【００２８】
電子カルテサーバ４は、介護用又は医療用の電子カルテ情報を管理する情報処理装置である。電子カルテサーバ４は、塗り絵者となる高齢者の個人情報が格納されたＤＢ４ａを有する。
【００２９】
ネットワーク５は、診断サーバ１、端末２、スキャナ装置３、及び電子カルテサーバ４を相互に接続する通信ネットワークである。また、ネットワーク５は、有線又は無線を問わず、例えば、電話回線網、ＷｉＦｉ（登録商標）、インターネットなどのＬＡＮ及びＷＡＮネットワークを含む。
【００３０】
塗り絵Ｂは、上述したように自然由来の素材を図柄として用いた紙媒体の塗り絵画である。高齢者等の塗り絵者により色塗りされた塗り絵Ａは、スキャナ装置３によりスキャンされ、塗り絵画像データが診断サーバ１へ送信される。
＜ハードウェア構成＞
【００３１】
図４は、本実施形態に係る診断サーバのハードウェア構成例を示す図である。診断サーバ１は、ハードウェア構成として、ＣＰＵ（Central Processing Unit）１１、ＲＯＭ（Read Only Memory）１２、ＲＡＭ（Random Access Memory）１３、ＨＤＤ（Hard Disk Drive）１４、入力装置１５、表示装置１６、通信装置１７を有する。
【００３２】
ＣＰＵ１１は、各種プログラムの実行や演算処理を行う。ＲＯＭ１２は、起動時に必要なプログラムなどが記憶されている。ＲＡＭ１３は、ＣＰＵ１１での処理を一時的に記憶したり、データを記憶したりする作業エリアである。ＨＤＤ１４は、各種データ及びプログラムを格納する。
【００３３】
入力装置１５は、例えばキーボードやマウスなどの各種入力装置である。表示装置１６は、ディスプレイなどで、各種の情報表示を行う装置である。通信装置１７は、ネットワーク５を介し他装置との通信を行う装置である。
＜ソフトウェア構成＞
【００３４】
図５は、本実施形態に係る塗り絵色彩心理診断システムの機能構成例を示す図である。塗り絵色彩心理診断システム１００は、主な機能部として、塗り絵読取部１０１、画像解析部１０２、個人情報取得部１０３、色彩心理判定部１０４、推奨塗り絵選択部１０５、出力部１０６、記憶部１０７を有する。
塗り絵読取部１０１は、塗り絵者により色塗りされた塗り絵Ａの画像を読み取る機能を有する。
画像解析部１０２は、画像解析を実行し、塗り絵Ａの画像から、色塗りされた図柄の色彩情報を取得する機能を有する。
個人情報取得部１０３は、塗り絵者の個人情報を取得する機能を有する。
【００３５】
色彩心理判定部１０４は、画像解析部１０２により取得された色彩情報と、個人情報取得部１０３により取得された個人情報とに基づいて、塗り絵者の色彩心理を判定する機能を有する。
【００３６】
推奨塗り絵選択部１０５は、色彩心理判定部１０４により判定された色彩心理に応じて、塗り絵Ａ及び塗り絵Ｂの中から、塗り絵者に推奨するための塗り絵（以下、推奨塗り絵と呼ぶ）を選択する機能を有する。
出力部１０６は、色彩心理判定部１０４により判定された色彩心理及び推奨塗り絵選択部１０５により選択された推奨塗り絵を出力する機能を有する。
記憶部１０７は、複数種類の塗り絵Ａ、塗り絵Ｂ、及びＤＢ１ａ等を記憶する機能を有する。例えば、ＨＤＤ１４により実現される。
【００３７】
なお、塗り絵読取部１０１は、スキャナ装置３により実現される。また、画像解析部１０２、個人情報取得部１０３、色彩心理判定部１０４、推奨塗り絵選択部１０５、出力部１０６、記憶部１０７は、診断サーバ１を構成するコンピュータのＣＰＵ、ＲＯＭ、ＲＡＭ等のハードウェア資源上で実行されるコンピュータプログラムによって実現されるものである。これらの機能部は、「手段」、「モジュール」、「ユニット」、又は「回路」に読替えてもよい。
[情報処理]
【００３８】
次に、塗り絵の実施例として、高齢者施設の男性（山田太郎）による塗り絵Ａの事例を挙げながら、塗り絵色彩心理診断システム１００の実行する情報処理について詳しく説明する。
【００３９】
図６は、本実施形態に係る情報処理の全体を説明するフローチャートである。本フローチャートは、ステップＳ１の塗り絵読取処理、ステップＳ２の色彩情報取得処理、ステップＳ３の個人情報取得処理、ステップＳ４の色彩心理判定処理、ステップＳ５の推奨塗り絵選択処理、ステップＳ６の出力処理を有する。以下、ステップ毎に説明する。
＜塗り絵読取処理＞
【００４０】
ステップＳ１の塗り絵読取処理について説明する。スキャナ装置３の塗り絵読取部１０１は、塗り絵者により色塗りされた塗り絵Ａの画像を読み取る処理を実行する。
【００４１】
図７は、本実施形態に係る塗り絵読取処理を説明する図である。色彩心理を診断するための塗り絵素材として適した塗り絵Ａの中から、塗り絵Ａ１を塗り絵者自身に選択させる。複数種類（複数図柄）ある塗り絵Ａのうち、本人の興味にマッチする塗り絵を実施してもらうためである。今回選択された塗り絵Ａ１は、ネクタイ図柄の塗り絵である（図２（ａ）参照）。男性は、色鉛筆やクレパス等の筆記具を用いて、ネクタイ図柄に色塗りを行う。色塗りされた塗り絵Ａ１は、塗り絵Ａ２となる。
図８は、本実施形態に係る端末の診断開始画面の一例を示す図である。
【００４２】
介護スタッフは、端末２の診断開始画面２００を表示し、男性から受け取った色塗りされた塗り絵Ａ２をスキャナ装置３にセットし、「読込開始」２０１を押下する。「読込開始」２０１が押下されるとスキャナ装置３が作動し、紙媒体の塗り絵Ａ２を電子的に読み込む。スキャナ装置３（塗り絵読取部１０１）により塗り絵Ａ２が読み取られると、スキャンされて読み取ったデータである塗り絵画像Ａ２’が表示欄２０２に表示される。
【００４３】
次に、介護スタッフは、男性の会員Ｎｏ等を入力・検索するなどして、塗り絵Ａ１の塗り絵者を端末２に入力する。その後介護スタッフは、「開始」２０３を押下し、色彩心理診断を開始する。「開始」２０３が押下されると、端末２から診断サーバ１へ、色彩心理診断の開始命令、塗り絵画像Ａ２’、塗り絵者の情報が送信される。
【００４４】
なお、例えば、会員Ｎｏなどの識別子を塗り絵Ａ２の所定欄（非図示）に記入しておき、スキャンされて読み取った塗り絵画像Ａ２’に対して画像処理を行うことで、当該識別子を取得し、塗り絵者の情報が自動入力されるようにしてもよい。介護スタッフが塗り絵者を端末２に入力する作業を省略できる。
【００４５】
また、スキャナ装置３に代えてペンタブレットなどの絵描用デバイスを用いる場合、タブレット上に表示された塗り絵Ａ１に対して塗り絵を行うことで、紙媒体のスキャンなしに、塗り絵画像データを取得し、診断サーバ１へ送ることも可能である。
＜色彩情報取得処理＞
【００４６】
次に、ステップＳ２の色彩情報取得処理について説明する。診断サーバ１の画像解析部１０２は、スキャンされて読み取ったデータである塗り絵画像Ａ２’に対して画像解析を実行し、塗り絵画像Ａ２’から、色塗りされた図柄の色彩情報を取得する。
【００４７】
図９は、本実施形態に係る塗り絵画像の画素分割の一例を示す図である。画像解析部１０２は、塗り絵画像Ａ２’を画素単位でＲＧＢ値を解析し取得する。例えば、塗り絵画像Ａ２’において、Ｍ×Ｎ個の画素が存在する場合、Ｍ×Ｎ個のＲＧＢ値を得る。
＜個人情報取得処理＞
【００４８】
次に、ステップＳ３の個人情報取得処理について説明する。診断サーバ１の個人情報取得部１０３は、電子カルテサーバ４から、今回対象となる塗り絵者の介護支援にかかる個人情報を取得する。上述したように、電子カルテサーバ４は、高齢者施設等において予め設置されており、介護用又は医療用の電子カルテとして、全介護者の個人情報を有している。
【００４９】
図１０は、本実施形態に係る個人情報の一例を示す図である。図１０に示されるように、個人情報は、（ａ）基本情報の一例として、「会員Ｎｏ」、「氏名」、「性別」、「年齢」、「生年月日」、「住所」、「家族構成」、「要介護度」、「デイ通所日」、「健康状態・持病等」、「職業（過去を含む）」、「性格・個性」、「趣味」等の項目がある。
また、（ｂ）要介護者認定項目の一例として、「基本（身体機能・起居）動作」、「生活機能」、「認知機能」、「社会生活への適応力」等の項目がある。
また、（ｃ）塗り絵実施日当日の環境情報や体調情報がある。一例として、「日付」、「気温」、「体温」、「血圧」、「食事」等の項目がある。
このように、高齢者施設等における塗り絵者の個人情報は、介護支援に関する情報を含む。
＜色彩心理判定処理＞
【００５０】
次に、ステップＳ４の色彩心理判定処理について説明する。診断サーバ１の色彩心理判定部１０４は、色彩情報取得処理により取得された色彩情報と、個人情報取得処理により取得された個人情報とに基づいて、塗り絵者の色彩心理を判定する。
（塗り絵色の色分類）
【００５１】
図１１は、本実施形態に係る塗り絵色分類表の一例を示す図である。図１１に示される塗り絵色分類表は、ＤＢ１ａに予め記憶されており、塗り絵から取得された色（色彩情報）を、予め規定されている２４つの色分類のうち、何れか一に分類するための表である。
【００５２】
横列には、例えば、「Ｒｅｄ」（赤色）、「Ｏｒａｎｇｅ」（オレンジ色）、「Ｙｅｌｌｏｗ」（黄色）、「Ｇｒｅｅｎ」（緑色）、「Ｂｌｕｅ」（青色）、「Ｐｕｒｐｌｅ」（紫色）、「Ｐｉｎｋ」（桃色）、「Ａｃｈｒｏｍａｔｉｃ」（無彩色）という８つの主な色系統が規定される。
【００５３】
また、縦列に記載されるように、各色系統は明度に応じて、例えば、１（明るめ）、２（中間）、３（暗め）という３つに分類される。よって例えば、赤色系統の場合、Ｒｅｄ１、Ｒｅｄ２、Ｒｅｄ３という３つの色分類がある。
なお、実際のコンピュータ上、塗り絵色分類表における各色分類は、色分類毎に属する色のＲＧＢ値（ＲＧＢ値の範囲）として規定される。
【００５４】
色彩心理判定部１０４は、塗り絵色分類表を参照して、画像解析部１０２により取得された色彩情報である画素のＲＧＢ値に基づいて、各々の画素を２４つある色分類のうち、何れか一に分類する。例えば、塗り絵上の画素がＭ×Ｎ個ある場合、それぞれの画素のＲＧＢ値を、色分類のＲＧＢ値（ＲＧＢ値の範囲）に従って、色分類の何れか一に分類する。
次に、２４つある色分類のうち、分類された画素が多い順に色分類を並べ、例えば、分類された画素が多い上位３つの色分類を特定する。
【００５５】
なお、塗り絵Ａの紙色が白色であったりと塗り絵Ａの背景が例えば白色である場合、塗り絵されていない領域は白と画像解析されるが、塗り絵されていない領域が塗り絵された特定色の領域よりも比較的大きい場合、上位３つの色分類の中に白が分類される色分類が上位３つ以内に入ってしてしまう可能性がある。よって色彩心理判定部１０４は、上位３つの色分類の中に塗り絵Ａの背景と同一色が分類される色分類が入っている場合、当該色分類を削除し、次位以降の色分類を繰り上げる処理を実行する。これにより、色塗りされていない白紙部分の色を除外できる。この場合、塗り絵Ａの背景色は既知情報である。
【００５６】
また、診断サーバ１に塗り絵Ａの画像を予め読み込んでおき、塗り絵Ａの紙媒体上における図柄の位置座標を与えておく。例えば、塗り絵Ａ１の画像を予め読み込んでおき、塗り絵Ａの紙媒体上におけるネクタイ図柄の位置座標を与えておく。この場合、色情報取得処理において、診断サーバ１の画像解析部１０２は、図柄の位置座標に基づいて、スキャンされて読み取ったデータである塗り絵画像Ａ２’の図柄内の領域に対してのみ画像解析を実行し、塗り絵画像Ａ２’から、色塗りされた図柄の色彩情報を取得する。例えば、背景色が多い塗り絵Ａの場合、図柄内以外の領域の色を対象から除外することが可能となる。
【００５７】
また、塗り絵色分類表の色分類の規定はあくまでも一例である。即ち、上述の８つの主な色系統はそれ以上の数に細かく分類可能であり、各色系統の明度段階も３以上の数に細かく分類可能であり、その結果、色分類はより細かく規定されうる。
（色彩心理の絞込み処理１）
【００５８】
図１２は、本実施形態に係る赤系統の色彩心理対応表の一例を示す図である。また、図１３は、本実施形態に係る無彩色系統の色彩心理対応表の一例を示す図である。各色系統の色彩心理対応表は、ＤＢ１ａに予め記憶されている。
【００５９】
図１２及び図１３に示されるように色彩心理対応表においては、「色分類」と、「心理Ｎｏ」と、「心理・感情」との情報が対応付けられている。なお、色彩心理対応表の「色分類」は、図１１の塗り絵色分類表の分類と対応する。
【００６０】
また、色彩心理対応表は、主な色系統分が規定されている。即ち、図１２の赤系統の色彩心理対応表及び図１３の無彩色系統の色彩心理対応表のほか、オレンジ系統、黄色系統、緑系統、青系統、紫系統、桃色系統の色彩心理対応表がある（非図示）。
【００６１】
色彩心理判定部１０４は、色彩心理対応表を参照し、分類された画素が多い上位３つの色分類に対応する「色分類」に基づいて、「心理Ｎｏ」及び「心理・感情」を取得する。ここで、１つの「色分類」に対して「心理・感情」が複数あるのは、１つの色と人の感情とは、必ずしも１対１の関係に定まらないためである。
【００６２】
例えば、分類された画素の数が１位の色分類に対応する「色分類」がＲｅｄ２の場合、取得される「心理Ｎｏ」、「心理・感情」は、「7.感情的」〜「57.暖かい」となる。
【００６３】
また例えば、分類された画素の数が２位の色分類に対応する「色分類」がＡｃｈｒｏｍａｔｉｃ３の場合、取得される「心理Ｎｏ」、「心理・感情」は、「47.ひとり」〜「80.悪」となる。
（色彩心理の絞込み処理２）
【００６４】
図１４は、本実施形態に係る個人情報の色彩心理対応表の一例を示す図である。個人情報の色彩心理対応表は、ＤＢ１ａに予め記憶されている。図１４に示されるように個人情報の色彩心理対応表においては、個人情報である「基本情報」、「要介護者認定項目」、及び「環境情報・体調情報」の値である「キーワード」と、色系統毎の「心理・感情」との情報が対応付けられている。
【００６５】
色彩心理判定部１０４は、個人情報の色彩心理対応表を参照して、取得した個人情報の中に、「キーワード」が含まれているかどうかを判定する。取得した個人情報の中に、「キーワード」が含まれている場合、その「キーワード」に対応付けられている色系統毎の「心理・感情」を取得する。
【００６６】
例えば、取得した個人情報の中に、「キーワード」不仲、社長、こだわりが強い、麻痺等、右上肢、食事接種、つめ切り、上衣の着脱、ズボン等の着脱が含まれている場合（図１０参照）、これらの「キーワード」に対応付けられている赤系統の「心理・感情」として、ストレス、情熱、活力、主張、熱いを取得する。また、無彩色系統の「心理・感情」として、ストレスを取得する。
図１５は、本実施形態に係る絞込み処理の一例を示す図である。
【００６７】
Ｒｅｄ２の場合、「7.感情的」〜「57.暖かい」の中から、「キーワード」に対応付けられている赤系統の「心理・感情」ストレス、情熱、活力、主張、熱いと一致する「心理・感情」を取得する。例えば、図１５の場合、「32.主張」、「34.活力」、「40.熱い」、「45.情熱」が取得される。
【００６８】
Ａｃｈｒｏｍａｔｉｃ３の場合、「47.ひとり」〜「80.悪」の中から、ストレスと一致する「心理・感情」を取得する。例えば、図１５の場合、「54.ストレス」が取得される。
【００６９】
以上の処理により、色彩心理判定部１０４は、塗り絵色に基づく色彩心理のうち、当該塗り絵者の個人情報に基づいて絞り込みを行った結果、塗り絵者の色彩心理は、「32.主張」、「34.活力」、「40.熱い」、「45.情熱」、及び「54.ストレス」であると判定する。
＜推奨塗り絵選択処理＞
【００７０】
次に、ステップＳ５の推奨塗り絵選択処理について説明する。推奨塗り絵選択部１０５は、色彩心理判定部１０４により判定された色彩心理に基づいて、複数種類の塗り絵Ａ及び塗り絵Ｂの中から、次に塗り絵者に推奨するための推奨塗り絵を選択する。
図１６は、本実施形態に係る塗り絵選択処理を説明するフローチャートである。
【００７１】
Ｓ６１：推奨塗り絵選択部１０５は、個人情報取得処理により取得された個人情報から、塗り絵者の「性別」及び「趣味」を取得する。例えば、図１０（ａ）の場合、「性別」は男性、「趣味」は釣り、ゴルフが取得される。
【００７２】
Ｓ６２：推奨塗り絵選択部１０５は、色彩心理判定部１０４により判定された色彩心理がネガティブな心理を含むか否かを判定する。色彩心理は、大きくはポジティブな心理とネガティブな心理とに分けることができるが、ネガティブな心理かどうかは、色彩心理判定部１０４により判定された色彩心理が、ネガティブワード（例えば、ストレス、怒り、激情・・）と一致するか否かにより判定しうる。なお、ネガティブワードは、予め規定された既知情報として記憶されている。
【００７３】
例えば、色彩心理判定部１０４により判定された色彩心理が、「32.主張」、「34.活力」、「40.熱い」、「45.情熱」、及び「54.ストレス」というとき、ネガティブワードであるストレスが含まれていると判定する。
【００７４】
なお、色彩心理判定部１０４により判定された色彩心理のうち１つのみのネガティブワードと一致した場合にネガティブな心理を含むと判定するほか、２つ、３つといたように複数のネガティブワードと一致した場合にネガティブな心理を含むと判定することも可能である。また、色彩心理判定部１０４により判定された色彩心理のうち、ネガティブワードと一致する色彩心理の割合が一定値以上（例えば、５０％）である場合にネガティブな心理を含むと判定することも可能である。何れも塗り絵者の心理は穏やかな状態にない可能性が高いと推測できる場合にのみ、ネガティブな心理を含むと判定するためである。
ネガティブな心理を含む場合、Ｓ６３へ進む。一方、ネガティブな心理を含まない場合、Ｓ６４へ進む。
【００７５】
Ｓ６３：推奨塗り絵選択部１０５は、色彩心理判定部１０４により判定された色彩心理がネガティブな心理を含む場合、塗り絵者の心理は穏やかな状態にないことを示している。よってこの場合、推奨塗り絵選択部１０５は、塗り絵者に次に推奨するための推奨塗り絵として、複数種類ある塗り絵Ｂの中から、Ｓ６１で取得した「性別」及び「趣味」と対応付けられた塗り絵（推奨塗り絵）を選択する。
【００７６】
図１７は、本実施形態に係る塗り絵情報の一例を示す図である。塗り絵情報は、ＤＢ１ａに予め記憶されている。図１７を参照すると、例えば、Ｓ６１で「性別」は男性、「趣味」は釣り、ゴルフが取得されている場合、塗り絵タイプＢの中から、「性別」男、「趣味」釣りと対応付けられている塗り絵Ｎｏ２０１が選択される。
【００７７】
ここで、Ｓ６３の場合、選択される塗り絵は、必ず塗り絵Ｂである。上述したように、塗り絵Ｂは、例えば、風景画などの自然由来の素材図柄を用いた塗り絵であるため、塗り絵者自身も気が付かないうちに自然と緑や青などのリラクゼーション効果等のある色を用いて、塗り絵者が塗り絵を実施することが可能となる。これにより、例えば、イライラしていた塗り絵者が、塗り絵という日常的なレクレーションやリハビリが、ネガティブな心理状態を整える一助となる。
【００７８】
また、塗り絵Ｂの中から、「性別」及び「趣味」と対応付けられた塗り絵を選択するのは、塗り絵者の関心のより高い塗り絵を選択するためである。塗り絵の図柄によっては、男性向け、女性向けがあるし、趣味に合う塗り絵の方が取り組む意欲が高くなる。
【００７９】
Ｓ６４：一方、推奨塗り絵選択部１０５は、色彩心理判定部１０４により判定された色彩心理がネガティブな心理を含まない場合、塗り絵者の心理は穏やかな状態にあることを示している。よってこの場合、推奨塗り絵選択部１０５は、塗り絵者に次に推奨するための推奨塗り絵として、複数種類ある塗り絵Ａ及び塗り絵Ｂの範囲中から、Ｓ６１で取得した「性別」及び「趣味」と対応付けられた塗り絵（推奨塗り絵）を選択する。即ち、選択される塗り絵は、塗り絵Ａ又は塗り絵Ｂである。
【００８０】
Ｓ６４の場合、塗り絵者の心理は穏やかな状態にあるため、次回もまた塗り絵自体をより楽しんでもらえるよう、塗り絵Ａ又は塗り絵Ｂの中から広く塗り絵者自身の趣味等にマッチする塗り絵を選択する。なお、塗り絵Ａ又は塗り絵Ｂは、上述したように各々の特性を有するが、塗り絵者の心理は穏やかな状態にある場合、塗り絵Ａ、塗り絵Ｂであろうともあくまでその図柄を塗り絵図柄として楽しむことができる。
【００８１】
再び図１７を参照し、例えば、Ｓ６１で「性別」は男性、「趣味」は釣り、ゴルフが取得されている場合、塗り絵タイプＡ及びＢの中から、「性別」男、「趣味」釣り、及びゴルフとも対応付けられている塗り絵Ｎｏ１０４が選択される。
【００８２】
なお、塗り絵は、塗り絵者の多様な「趣味」にマッチするよう、塗り絵Ａ及び塗り絵Ｂのそれぞれ毎に出来る限り多くの種類（図柄）を用意するとよい。また、「性別」や「趣味」とマッチするよう塗り絵が存在しない場合、「性別」や「趣味」に依存しにくい図柄が描かれた塗り絵を選択できる。このような汎用的な図柄の塗り絵は、塗り絵情報において「性別」や「趣味」が空欄となっている。
【００８３】
また、選択される塗り絵、即ち推奨塗り絵は必ずしも１つでなくともよく、Ｓ６３、Ｓ６４の条件に合う場合、複数選択されてもよい。複数の推奨塗り絵の中から、塗り絵者本人や介護スタッフがさらに選択可能となるからである。
＜出力処理＞
次に、ステップＳ６の出力について説明する。出力部１０６は、色彩心理及び推奨塗り絵を出力する。
【００８４】
図１８は、本実施形態に係る端末の診断結果表示画面の一例を示す図である。図１８に示されるように、端末２の診断結果表示画面２１０は、塗り絵画像Ａ２’の表示欄２１１、色彩心理診断結果の表示欄２１２、スタッフ記録欄２１３を有する。
塗り絵画像Ａ２’の表示欄２１１には、色彩心理を診断するために入力された塗り絵の画像が表示される。
【００８５】
色彩心理診断結果の表示欄２１２には、色彩心理判定部１０４により判定された塗り絵者の色彩心理及び個人情報に基づく説明文や心理キーワードなどが表示される。介護スタッフは、これら情報を参考にして、高齢者心理状態の把握するための１つの情報ツールとして参考にし、ケア活動に役立てることが可能である。
スタッフ記録欄２１３は、表示直後は空白で、履歴表示等から参照できるよう、介護スタッフが塗り絵時の塗り絵者の様子や特記事項等を記録として記入する。
【００８６】
図１９は、本実施形態に係る端末の推奨塗り絵表示画面の一例を示す図である。図１９に示されるように、端末２の推奨塗り絵表示画面２２０は、推奨塗り絵の表示欄２２１、塗り絵の説明の表示欄２２２、「印刷」ボタン２２３を有する。
【００８７】
推奨塗り絵の表示欄２２１には、推奨塗り絵選択部１０５により選択された推奨塗り絵が表示される。塗り絵の説明の表示欄２２２は、推奨塗り絵の説明や効果が表示される。「印刷」ボタン２２３は、押下することで、推奨塗り絵を印刷できる。
【００８８】
介護スタッフは、これら情報を参考にして、次回実施する塗り絵選びに役立てることが可能である。つまり、介護スタッフ自身に知識がなくとも、次回、推奨塗り絵の表示欄２２１の推奨塗り絵を用いることで、次回その塗り絵者にとって適した塗り絵を実施することが可能となる。
【００８９】
例えば、塗り絵者がストレスを感じている心理状態の場合、次回塗り絵Ｂの塗り絵を実施することで、自然と青系色や緑系色が用いられる色塗り作業を通じて、その塗り絵色から与えられるリラクゼーション効果等を得ることができる。また、塗り絵Ｂの塗り絵自体がその塗り絵者の性別や趣味に合う塗り絵を実施できるので、施設のアクティビティとしてもいっそう塗り絵に対して興味を持って取り組むことできる。即ち、色彩心理診断結果に基づく推奨塗り絵をその後の心理ケアに役立てることが可能である。
【００９０】
なお、推奨塗り絵は複数表示されてもよい。複数の推奨塗り絵の中から、塗り絵者本人や介護スタッフの当日の希望や気分等に応じて好きな塗り絵を選択できる。
[適用事例]
本実施形態に係る塗り絵色彩心理診断システム１００は、例えば、学校、職場、医療施設などの施設において適用することも可能である。
【００９１】
例えば、学校においては、子供たちのメンタルチェックの一環として、本実施形態に係る塗り絵色彩心理診断システム１００による塗り絵色彩心理診断を行うことが可能である。学校において、メンタルカウンセリングの一環として、塗り絵を用いた色彩心理診断を行うことで、子供たちのストレスや心の不安感を把握し、その後のケア活動の一助となる。
【００９２】
なお、塗り絵者である子供の個人情報は、子供特有の不安感や悩みに少なからず影響を与える学業成績や学校の友人関係、部活動など学校生活に関する情報、さらには家庭環境などの情報を含む。これにより、塗り絵者である子供に対してより適切な塗り絵色彩心理診断を実施することが可能である。
【００９３】
また、小学校や幼稚園、保育園に通う比較的低年齢の子供の場合、塗り絵自体が教育カリキュラムの一環として取り入れて実施可能なものであるため、本システムとの親和性も高い。
【００９４】
また例えば、職場においては、福利厚生等の一環として、本実施形態に係る塗り絵色彩心理診断システム１００による塗り絵色彩心理診断を行うことが可能である。職場において、従業員の健康診断のみならず、心の健康診断やメンタルカウンセリングの一環として、塗り絵を用いた色彩心理診断を行うことで、従業員の心の不安感や問題等を把握し、その後のケア活動の一助となる。
【００９５】
なお、塗り絵者である従業員の個人情報は、例えば、部署、担当業務、業務成績、残業時間などの情報を含む。これにより、塗り絵者である従業員に対してより適切な塗り絵色彩心理診断を実施することが可能である。
【００９６】
また例えば、医療施設においては、患者やのメンタルチェックの一環として、本実施形態に係る塗り絵色彩心理診断システム１００による塗り絵色彩心理診断を行うことが可能である。医療施設において、患者の心のケア活動の一環として、塗り絵を用いた色彩心理診断を行うことで、患者の病気や怪我に対する不安感を把握し、その後の治療活動の一助となる。
【００９７】
なおこの場合、塗り絵者である患者の個人情報は、病状、病歴などの診察情報を含む。これにより、塗り絵者である患者に対してより適切な塗り絵色彩心理診断を実施することが可能である。
【００９８】
また他にも、例えば、妊娠中の妊婦や、産後育児ノイローゼの可能性のある母親にも本本実施形態に係る塗り絵色彩心理診断システム１００による塗り絵色彩心理診断を行い、心のケア活動を支援することが可能である。
＜まとめ＞
【００９９】
以上、本実施形態に係る塗り絵色彩心理診断システムにおいては、色彩心理の診断に用いられる塗り絵として、「塗り絵Ａ」（意匠物品の塗り絵図柄）が用いられる。意匠物品は、塗り絵者の心理模様が色として表現されやすく、色彩心理を診断するための塗り絵素材として適しているためである。
【０１００】
また、本実施形態に係る色彩心理は、塗り絵色に加えて、当該塗り絵者の個人情報に基づいて判定されるので、より適切な色彩心理を判定することができる。特に、高齢者施設等における塗り絵者の個人情報は、介護支援に関する情報を含むため、高齢者施設等における高齢者に対して、より適切な色彩心理を判定することができる。
【０１０１】
また、本実施形態に係る塗り絵色彩心理診断システムにおいては、塗り絵者がネガティブな色彩心理を有する場合（塗り絵者の心理が穏やかな状態にないことを示す場合）、塗り絵者に次に推奨するための推奨塗り絵として、複数種類ある「塗り絵Ａ」（意匠物品の塗り絵図柄）及び「塗り絵Ｂ」（風景画の塗り絵図柄）の中から、「塗り絵Ｂ」が推奨される。「塗り絵Ｂ」は、例えば、風景画などの自然由来の素材図柄を用いた塗り絵であるため、塗り絵を通じて色が与えるリラクゼーション効果を塗り絵者に期待することが可能である。介護スタッフは自身に色彩心理に関する知識がなくとも、システムに従って色彩心理診断結果に基づく推奨塗り絵を塗り絵者に推奨すればよい。
【０１０２】
また、本実施形態に係る「塗り絵Ａ」及び「塗り絵Ｂ」は、様々な図柄が描かれており、複数種類の、様々な図柄が描かれている塗り絵である。このため、レクレーションやリハビリの一環として、毎回異なる図柄の塗り絵を用いて、継続的に実施することが可能である。
【０１０３】
即ち、本実施形態によれば、塗り絵を通じて、塗り絵者に対する適切な色彩心理を診断するとともに、診断結果を心理ケアに役立てる塗り絵色彩心理診断システム等を提供することが可能である。
【０１０４】
なお、本発明の好適な実施の形態により、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【符号の説明】
【０１０５】
１          診断サーバ
２          スキャナ装置
３          端末
４          電子カルテサーバ
５          ネットワーク
１１        ＣＰＵ
１２        ＲＯＭ
１３        ＲＡＭ
１４        ＨＤＤ
１５        入力装置
１６        表示装置
１７        通信装置
１００      塗り絵色彩心理診断システム
１０１      塗り絵読取部
１０２      画像解析部
１０３      個人情報取得部
１０４      色彩心理判定部
１０５      推奨塗り絵選択部
１０６      出力部
１０７      記憶部
【要約】
【課題】塗り絵を通じて、塗り絵者に対する適切な色彩心理を診断するとともに、診断結果を心理ケアに役立てる塗り絵色彩心理診断システム等を提供する。
【解決手段】本発明に係る塗り絵色彩心理診断システムは、第１塗り絵の画像を読み取る塗り絵読取手段と、第１塗り絵から色彩情報を取得する画像解析手段と、塗り絵者の個人情報を取得する個人情報取得手段と、色彩情報と個人情報とに基づいて、塗り絵者の色彩心理を判定する色彩心理判定手段と、色彩心理に応じて、塗り絵者に推奨する塗り絵を選択する塗り絵選択手段と、判定された色彩心理と、選択された塗り絵を出力する出力手段とを有し、第１塗り絵に描かれた図柄は、意匠物品の図柄であり、第２塗り絵に描かれた図柄は、風景画の図柄であり、塗り絵選択手段は、色彩心理がネガティブな心理を含む場合、第２塗り絵の中から塗り絵を選択する。
【選択図】図１９【図１】
0005996144.tif 000002
【図２】
0005996144.tif 000003
【図３】
0005996144.tif 000004
【図４】
0005996144.tif 000005
【図５】
0005996144.tif 000006
【図６】
0005996144.tif 000007
【図７】
0005996144.tif 000008
【図８】
0005996144.tif 000009
【図９】
0005996144.tif 000010
【図１０】
0005996144.tif 000011
【図１１】
0005996144.tif 000012
【図１２】
0005996144.tif 000013
【図１３】
0005996144.tif 000014
【図１４】
0005996144.tif 000015
【図１５】
0005996144.tif 000016
【図１６】
0005996144.tif 000017
【図１７】
0005996144.tif 000018
【図１８】
0005996144.tif 000019
【図１９】
0005996144.tif 000020